(57)【要約】【課題】各無線インターフェースの使用可否を設定しようとするユーザに不便を強いることがない無線通信機器を提供する。【解決手段】スマートフォン１００は、複数の無線通信規格に対応する無線Ｉ／Ｆ２０７〜２１０を備え、機内モードへ移行する際に、セッションが確立している無線通信規格を表示対象Ｉ／Ｆとして選択し、各表示対象Ｉ／Ｆに対応する無線通信規格を、発信される電波の強度が強いものから並ぶように、機内モード設定画面５００の該スライドバー５０２に沿って表示し、スライドバー５０２において移動するノブ５０１の一方側に表示される各無線通信規格に対応する無線Ｉ／Ｆの使用を許可し、ノブ５０１の他方側に表示される各無線通信規格に対応する無線Ｉ／Ｆの使用を許可しない。【選択図】図５
2019012891.tif 000002
【特許請求の範囲】
【請求項１】
個別に使用可否が設定される複数の無線インターフェースと、前記複数の無線インターフェースのうち少なくとも１つの使用が許可されない無線通信制限モードへ移行するモード移行手段とを備える無線通信機器において、
前記無線通信制限モードへ移行する際に、複数の前記無線インターフェースを選択する選択手段と、
前記選択された複数の無線インターフェースの発信電波強度に応じて、前記選択された複数の無線インターフェースを並べて表示する表示手段と、を備え、
前記表示手段は、前記表示される複数の無線インターフェースの並びに沿って移動する境目を表示し、
前記並びにおける前記境目の一方側に表示される各前記無線インターフェースは使用が許可され、前記並びにおける前記境目の他方側に表示される各前記無線インターフェースは使用が許可されないことを特徴とする無線通信機器。
【請求項２】
前記選択手段は、各前記無線インターフェースの設定状態に応じて複数の前記無線インターフェースを選択することを特徴とする請求項１記載の無線通信機器。
【請求項３】
前記選択手段は、現時点で使用が許可されている前記無線インターフェースを選択することを特徴とする請求項２記載の無線通信機器。
【請求項４】
前記選択手段は、無線通信が確立している前記無線インターフェースを選択することを特徴とする請求項２又は３記載の無線通信機器。
【請求項５】
前記選択手段は、前記無線通信制限モードへ以前に移行した際に使用が許可されていた前記無線インターフェースを選択することを特徴とする請求項２乃至４のいずれか１項に記載の無線通信機器。
【請求項６】
位置を判定する位置判定手段をさらに備え、
前記選択手段は、前記判定された位置を含む所定の範囲において、前記無線通信制限モードへ以前に移行した際に使用が許可されていた前記無線インターフェースを選択することを特徴とする請求項５記載の無線通信機器。
【請求項７】
前記複数の無線インターフェースの使用可否に関する規制情報を取得する規制情報取得手段をさらに備え、
前記表示手段は、前記規制情報において使用が制限される各前記無線インターフェースをグループ化して表示することを特徴とする請求項１乃至６のいずれか１項に記載の無線通信機器。
【請求項８】
前記グループ化された、前記使用が制限される無線インターフェースの発信電波強度は、他の前記無線インターフェースの発信電波強度よりも大きいとみなされることを特徴とする請求項７記載の無線通信機器。
【請求項９】
前記表示手段は、前記無線通信制限モードへ以前に移行した際に使用が許可されていた前記無線インターフェースをグループ化して表示することを特徴とする請求項１乃至８のいずれか１項に記載の無線通信機器。
【請求項１０】
前記グループ化された、前記使用が許可されていた無線インターフェースの発信電波強度は、他の前記無線インターフェースの発信電波強度よりも小さいとみなされることを特徴とする請求項９記載の無線通信機器。
【請求項１１】
個別に使用可否が設定される複数の無線インターフェースと、前記複数の無線インターフェースのうち少なくとも１つの使用が許可されない無線通信制限モードへ移行するモード移行手段とを備える無線携帯端末において、
前記無線通信制限モードへ移行する際に、複数の前記無線インターフェースを選択する選択手段と、
前記選択された複数の無線インターフェースの発信電波強度に応じて、前記選択された複数の無線インターフェースを並べて表示する表示手段と、を備え、
前記表示手段は、前記表示される複数の無線インターフェースの並びに沿って移動する境目を表示し、
前記並びにおける前記境目の一方側に表示される各前記無線インターフェースは使用が許可され、前記並びにおける前記境目の他方側に表示される各前記無線インターフェースは使用が許可されないことを特徴とする無線携帯端末。
【請求項１２】
個別に使用可否が設定される複数の無線インターフェースと、前記複数の無線インターフェースのうち少なくとも１つの使用が許可されない無線通信制限モードへ移行するモード移行手段とを備える無線通信機器の制御方法であって、
前記無線通信制限モードへ移行する際に、複数の前記無線インターフェースを選択する選択工程と、
前記選択された複数の無線インターフェースの発信電波強度に応じて、前記選択された複数の無線インターフェースを並べて表示する表示工程と、を有し、
前記表示工程は、前記表示される複数の無線インターフェースの並びに沿って移動する境目を表示し、
前記並びにおける前記境目の一方側に表示される各前記無線インターフェースは使用が許可され、前記並びにおける前記境目の他方側に表示される各前記無線インターフェースは使用が許可されないことを特徴とする無線通信機器の制御方法。
【請求項１３】
個別に使用可否が設定される複数の無線インターフェースと、前記複数の無線インターフェースのうち少なくとも１つの使用が許可されない無線通信制限モードへ移行するモード移行手段とを備える無線通信機器の制御方法をコンピュータに実行させるプログラムであって、
前記無線通信機器の制御方法は、
前記無線通信制限モードへ移行する際に、複数の前記無線インターフェースを選択する選択工程と、
前記選択された複数の無線インターフェースの発信電波強度に応じて、前記選択された複数の無線インターフェースを並べて表示する表示工程と、を有し、
前記表示工程は、前記表示される複数の無線インターフェースの並びに沿って移動する境目を表示し、
前記並びにおける前記境目の一方側に表示される各前記無線インターフェースは使用が許可され、前記並びにおける前記境目の他方側に表示される各前記無線インターフェースは使用が許可されないことを特徴とするプログラム。
【発明の詳細な説明】
【技術分野】
【０００１】
本発明は、複数の無線インターフェースの使用可否を個別に設定可能な無線通信機器、無線携帯端末、無線通信機器の制御方法及びプログラムに関する。
【背景技術】
【０００２】
スマートフォンやタブレット等の無線携帯端末は複数の無線通信規格のそれぞれに対応する複数の無線インターフェースを有する。無線通信規格としては、モバイルデータ通信、Ｗｉ−Ｆｉ、Ｂｌｕｅｔｏｏｔｈ（登録商標）、ＢＬＥ（Bluetooth Low Energy）やＮＦＣ（Near Field Communication）が該当する。各無線インターフェースは発信する電波の強度が異なる。また、通常、無線携帯端末は複数の通信モードを有し、各通信モードでは各無線インターフェースの使用可否が個別に設定される。代表的な通信モードとしては、例えば、オフラインモードや機内モード（フライトモード）が知られている。オフラインモードでは、当該無線携帯端末の無線通信に関わる機能以外の機能を利用可能な状態に保ったまま、外部機器との無線通信が禁止される（例えば、特許文献１参照。）。また、機内モードでも外部機器との無線通信が禁止される（例えば、特許文献２参照。）。すなわち、オフラインモードや機内モードでは、原則として、全ての無線インターフェースの使用が許可されない（「ＯＦＦ」が設定される）。また、無線携帯端末が機内モードに移行する際、当該無線携帯端末との間で無線通信（セッション）が確立していた外部機器も連動して機内モードに移行する無線通信機器の制御方法も知られている。
【０００３】
ところで、近年、航空機内における無線通信規制が緩和されつつあり、例えば、航空機の運航に支障を生じさせない程度の発信電波強度の通信規格の無線インターフェースであれば、使用が許可される（「ＯＮ」が設定されてもよい）ことがある。具体的には、機内モードであっても、ＢＬＥやＮＦＣの無線インターフェースに「ＯＮ」を設定してもよいことがある。
【先行技術文献】
【特許文献】
【０００４】
【特許文献１】特開２００９−１６４７８３号公報
【特許文献２】特開２０１６−１９１６０号公報
【発明の概要】
【発明が解決しようとする課題】
【０００５】
無線通信規制が緩和される際、使用が許可される無線インターフェースの種類は、国、航空会社又は飛行機の機材によって異なる。例えば、ある航空会社の無線通信規制の緩和に対応した通信モードを設けても、他の航空会社の機材では当該無線モードを利用することができないことがあるため、無線通信規制の緩和に対応した特有の通信モードは設定されることが無い。したがって、無線携帯端末のユーザは、一旦、無線携帯端末を機内モードに移行させて全ての無線インターフェースに「ＯＦＦ」を設定した後、航空会社の無線通信規制にて使用が許可されている無線インターフェースへ個別に「ＯＮ」を設定する必要がある。すなわち、無線通信規制が緩和された状況下において、使用が許可された無線インターフェースを利用しようとするユーザに不便を強いるという問題がある。
【０００６】
本発明の目的は、各無線インターフェースの使用可否を設定しようとするユーザに不便を強いることがない無線通信機器、無線携帯端末、無線通信機器の制御方法及びプログラムを提供することにある。
【課題を解決するための手段】
【０００７】
上記目的を達成するために、本発明の無線通信機器は、個別に使用可否が設定される複数の無線インターフェースと、前記複数の無線インターフェースのうち少なくとも１つの使用が許可されない無線通信制限モードへ移行するモード移行手段とを備える無線通信機器において、前記無線通信制限モードへ移行する際に、複数の前記無線インターフェースを選択する選択手段と、前記選択された複数の無線インターフェースの発信電波強度に応じて、前記選択された複数の無線インターフェースを並べて表示する表示手段と、を備え、前記表示手段は、前記表示される複数の無線インターフェースの並びに沿って移動する境目を表示し、前記並びにおける前記境目の一方側に表示される各前記無線インターフェースは使用が許可され、前記並びにおける前記境目の他方側に表示される各前記無線インターフェースは使用が許可されないことを特徴とする。
【発明の効果】
【０００８】
本発明によれば、各無線インターフェースの使用可否を設定しようとするユーザに不便を強いるのを防止することができる。
【図面の簡単な説明】
【０００９】
【図１】本発明の第１の実施の形態に係る無線携帯端末としてのスマートフォンが適用される無線通信環境を説明するための図である。
【図２】図１におけるスマートフォンの構成を概略的に示すブロック図である。
【図３】各無線通信規格の使用可否を設定するための無線設定画面を示す図である。
【図４】本発明の第１の実施の形態に係る無線通信機器の制御方法としての機内モード設定画面表示処理を示すフローチャートである。
【図５】本発明の第１の実施の形態における機内モード設定画面を示す図である。
【図６】本発明の第１の実施の形態に係る無線通信機器の制御方法としての機内モード設定処理を示すフローチャートである。
【図７】本発明の第２の実施の形態に係る無線携帯端末としてのスマートフォンの構成を概略的に示すブロック図である。
【図８】本発明の第２の実施の形態における設定状態取得処理を示すフローチャートである。
【図９】本発明の第２の実施の形態における設定状態データの構造を示す図である。
【図１０】本発明の第２の実施の形態における機内モード設定画面表示処理を示すフローチャートである。
【図１１】本発明の第３の実施の形態に係る無線携帯端末としてのスマートフォンが適用される無線通信環境を説明するための図である。
【図１２】本発明の第３の実施の形態における無線設定画面の各無線Ｉ／Ｆの使用可否の設定状態を示す図である。
【図１３】本発明の第３の実施の形態における機内モード設定画面表示処理を示すフローチャートである。
【図１４】本発明の第３の実施の形態における機内モード設定画面を示す図である。
【発明を実施するための形態】
【００１０】
以下、本発明の実施の形態について図面を参照しながら詳細に説明する。しかしながら、以下の各実施の形態に記載されている構成はあくまで例示に過ぎず、本発明の範囲は各実施の形態に記載されている構成によって限定されることはない。まず、本発明の第１の実施の形態について説明する。
【００１１】
図１は、本発明の第１の実施の形態に係る無線携帯端末としてのスマートフォンが適用される無線通信環境を説明するための図である。図２は、図１におけるスマートフォンの構成を概略的に示すブロック図である。
【００１２】
図１において、スマートフォン１００はモバイル通信基地局１０１を介してインターネット１０２に接続される。スマートフォン１００及びモバイル通信基地局１０１の間には無線通信（セッション）が確立する。スマートフォン１００は、複数の無線通信規格のそれぞれに対応する複数の無線インターフェース（以下、「無線Ｉ／Ｆ」と称する。）を有する。無線通信規格としては、モバイルデータ通信、Ｗｉ−Ｆｉ、Ｂｌｕｅｔｏｏｔｈ（以下、「ＢＴ」と称する。）、ＢＬＥやＮＦＣが該当し、各無線Ｉ／Ｆでは発信される電波の強度が異なる。モバイルデータ通信としてはＬＴＥ（Long Term Evolution）通信や３Ｇ通信が該当する。なお、Ｗｉ−Ｆｉを用いたセッションが確立する場合、スマートフォン１００はアクセスポイント（以下、「ＡＰ」と称する。）を介してインターネット１０２に接続することもできる。
【００１３】
スマートフォン１００は、ＣＰＵ２０１（選択手段，規制情報取得手段）、フラッシュメモリ２０２、メモリ２０３、表示制御部２０４、入力部２０５及びメディアスロット２０６を備える。また、スマートフォン１００は、ＮＦＣに対応する無線Ｉ／Ｆ２０７、ＢＴやＢＬＥに対応する無線Ｉ／Ｆ２０８、Ｗｉ−Ｆｉに対応する無線Ｉ／Ｆ２０９及びモバイルデータ通信に対応する無線Ｉ／Ｆ２１０を備える。ＣＰＵ２０１、フラッシュメモリ２０２、メモリ２０３、表示制御部２０４、入力部２０５、メディアスロット２０６、無線Ｉ／Ｆ２０７〜無線Ｉ／Ｆ２１０はそれぞれ内部バス２１１に接続される。これらの構成要素は内部バス２１１を介して互いにデータ通信を行うことができる。なお、スマートフォン１００は、例えば、液晶パネルからなるディスプレイ２１２（表示手段）をさらに備え、ディスプレイ２１２は表示制御部２０４に接続される。
【００１４】
フラッシュメモリ２０２には、画像データやその他のデータ、並びにＣＰＵ２０１の動作に必要な各種プログラム等が格納される。メモリ２０３は、例えば、ＲＡＭ（Random Access Memory）からなる。ＣＰＵ２０１は、例えば、フラッシュメモリ２０２に格納されるプログラムに従い、メモリ２０３をワークメモリとして用いてスマートフォン１００の各構成要素の動作を制御する。なお、ＣＰＵ２０１の動作に必要なプログラムは、フラッシュメモリ２０２に格納されるものに限られず、例えば、ハードディスク（不図示）に格納されていてもよい。入力部２０５は、キーボード等の文字情報入力デバイスやマウス又はタッチパネル等のポインティングデバイスを有し、ユーザの操作を受け付け、該操作に応じた制御信号を生成してＣＰＵ２０１に供給する。ここでのタッチパネルは、例えば、平面的に構成されたパネルにおけるユーザの接触位置に応じた座標情報を出力するデバイスが該当する。ＣＰＵ２０１は、入力部２０５から供給される制御信号に基づき、プログラムに従ってスマートフォン１００の各構成要素の動作を制御する。これにより、スマートフォン１００は、ユーザが所望する機能を実現する。また、ＣＰＵ２０１は、ディスプレイ２１２に接続される表示制御部２０４に対してプログラムに従って生成した表示制御信号を供給する。表示制御部２０４は、該ディスプレイ２１２へ画像表示信号を出力する。例えば、表示制御部２０４は、供給された表示制御信号に基づいて画像表示信号を生成し、該画像表示信号をディスプレイ２１２に対して出力する。ディスプレイ２１２は、画像表示信号に基づき、例えば、ＧＵＩを構成するＧＵＩ画面を表示する。
【００１５】
スマートフォン１００では、入力部２０５がタッチパネルを有する場合、入力部２０５及びディスプレイ２１２を一体的に構成してもよい。この場合、例えば、タッチパネルの光の透過率をディスプレイ２１２の表示を妨げないレベルに設定した上で該タッチパネルがディスプレイ２１２の表示面に取り付ける。また、タッチパネルにおける入力座標と、ディスプレイ２１２の表示面における表示座標が対応付けられる。これにより、ディスプレイ２１２の表示面に表示された画面を直接操作可能とユーザに感じさせるＧＵＩを構成することができる。メディアスロット２０６は、ＳＤカードやＣＦカード等の外部記憶媒体２１３が装着可能であり、ＣＰＵ２０１の制御に基づき、装着された外部記憶媒体２１３からのデータの読み出しや外部記憶媒体２１３に対するデータの書き込みを行う。なお、メモリカード等の不揮発性の半導体メモリとは異なる媒体である、ＣＤやＤＶＤ等のディスク記録媒体をメディアスロット２０６に挿入してもよい。無線Ｉ／Ｆ２０７は、近距離無線通信規格であるＮＦＣに対応した情報であるタグを読み書きする。無線Ｉ／Ｆ２０８は、ＢＴ又はＢＬＥを用いてＢＴ又はＢＬＥに対応する端末と通信を行う。無線Ｉ／Ｆ２０９は、Ｗｉ−Ｆｉを用いてＬＡＮ（Local Area Network）やインターネット等のネットワークと通信を行う。無線Ｉ／Ｆ２１０は、モバイルデータ通信を用いてインターネットと通信を行う。なお、各無線通信規格における発信電波強度は、ＮＦＣ、ＢＬＥ、ＢＴ、Ｗｉ−Ｆｉ、モバイルデータ通信（以下、単に「モバイル」と称する。）の順に強くなる。
【００１６】
図３は、各無線Ｉ／Ｆの使用可否を設定するための無線設定画面を示す図である。無線設定画面３００は、ユーザが入力部２０５のタッチパネルにおいて無線設定画面表示操作を行うことにより、ディスプレイ２１２の表示面に表示される。図３において、無線設定画面３００は機内モード設定部３０１（モード移行手段）、Ｉ／Ｆ設定スイッチ３０２〜３０６及び戻りボタン３０７を有する。機内モード設定部３０１は、スマートフォン１００を、少なくとも１つの無線Ｉ／Ｆ使用が許可されない機内モード（無線通信制限モード）へ移行させるためのスイッチである。機内モード設定部３０１が操作されると、ディスプレイ２１２に後述する機内モード設定画面５００が表示される。機内モード設定部３０１において、タップ操作により、「ＯＮ」が設定されると、後述する図４の処理が実行されてディスプレイ２１２に機内モード設定画面５００が表示される。また、タップ操作により、「ＯＦＦ」が設定されるとディスプレイ２１２に無線設定画面３００が表示されたままとなる。なお、機内モード設定画面５００が表示される際、全てのＩ／Ｆ設定スイッチ３０２〜３０６は自動的に一旦「ＯＦＦ」に設定される。
【００１７】
Ｉ／Ｆ設定スイッチ３０２は無線Ｉ／Ｆ２０９の使用可否を設定するためのスイッチである。Ｉ／Ｆ設定スイッチ３０２を図中右へスライドさせると、「ＯＮ」が設定され、通電によって無線Ｉ／Ｆ２０９が初期化され、さらにＷｉ−Ｆｉを用いたセッションが実行可能となる。Ｉ／Ｆ設定スイッチ３０２を図中左へスライドさせると、「ＯＦＦ」が設定され、無線Ｉ／Ｆ２０９への給電が停止され、さらにＷｉ−Ｆｉを用いたセッションが実行不可能となる。Ｉ／Ｆ設定スイッチ３０３は、無線Ｉ／Ｆ２０８の使用可否を設定するためのスイッチである。Ｉ／Ｆ設定スイッチ３０３を図中右へスライドさせると、「ＯＮ」が設定され、無線Ｉ／Ｆ２０８への給電が行われていなければ、通電によって無線Ｉ／Ｆ２０８が初期化され、さらにＢＴを用いたセッションが実行可能となる。Ｉ／Ｆ設定スイッチ３０３を図中左へスライドさせると、「ＯＦＦ」が設定され、ＢＴを用いたセッションが実行不可能となり、さらに、Ｉ／Ｆ設定スイッチ３０４においても「ＯＦＦ」が設定されていれば、無線Ｉ／Ｆ２０８への給電が停止される。Ｉ／Ｆ設定スイッチ３０４も、無線Ｉ／Ｆ２０８の使用可否を設定するためのスイッチである。Ｉ／Ｆ設定スイッチ３０４を図中右へスライドさせると、「ＯＮ」が設定され、無線Ｉ／Ｆ２０８への給電が行われていなければ、通電によって無線Ｉ／Ｆ２０８が初期化され、さらにＢＬＥを用いたセッションが実行可能となる。Ｉ／Ｆ設定スイッチ３０４を図中左へスライドさせると、「ＯＦＦ」が設定され、ＢＬＥを用いたセッションが実行不可能となり、さらに、Ｉ／Ｆ設定スイッチ３０３においても「ＯＦＦ」が設定されていれば、無線Ｉ／Ｆ２０８への給電が停止される。
【００１８】
Ｉ／Ｆ設定スイッチ３０５は、無線Ｉ／Ｆ２０７の使用可否を設定するためのスイッチである。Ｉ／Ｆ設定スイッチ３０５を図中右へスライドさせると、「ＯＮ」が設定され、通電によって無線Ｉ／Ｆ２０７が初期化され、さらにＮＦＣを用いたセッションが実行可能となる。Ｉ／Ｆ設定スイッチ３０５を図中左へスライドさせると、「ＯＦＦ」が設定され、無線Ｉ／Ｆ２０７への給電が停止され、さらにＮＦＣを用いたセッションが実行不可能となる。Ｉ／Ｆ設定スイッチ３０６は、無線Ｉ／Ｆ２１０の使用可否を設定するためのスイッチである。Ｉ／Ｆ設定スイッチ３０６を図中右へスライドさせると、「ＯＮ」が設定され、通電によって無線Ｉ／Ｆ２１０が初期化され、さらにモバイルを用いたセッションが実行可能となる。Ｉ／Ｆ設定スイッチ３０６を図中左へスライドさせると、「ＯＦＦ」が設定され、無線Ｉ／Ｆ２１０への給電が停止され、さらにモバイルを用いたセッションが実行不可能となる。戻りボタン３０７が操作（押下）されると、ディスプレイ２１２は無線設定画面３００を表示する直前に表示していた画面を再び表示する。各Ｉ／Ｆ設定スイッチ３０２〜３０６の使用可否の設定状態は、例えば、テーブル形式のデータ構造を有する設定状態データとしてフラッシュメモリ２０２に保存される。また、設定状態データは、各Ｉ／Ｆ設定スイッチ３０２〜３０６のいずれかの設定が変更される度に更新されてプログラムから参照可能な状態でフラッシュメモリ２０２に保存する。
【００１９】
図４は、本実施の形態に係る無線通信機器の制御方法としての機内モード設定画面表示処理を示すフローチャートである。本処理は、機内モード設定部３０１において「ＯＮ」が設定された際に、ＣＰＵ２０１がフラッシュメモリ２０２に格納された所定のプログラムに従って実行する。
【００２０】
まず、機内モード設定部３０１において「ＯＮ」が設定されると、フラッシュメモリ２０２に保存された設定状態データを参照し、各Ｉ／Ｆ設定スイッチ３０２〜３０６の使用可否の設定状態を取得する（ステップＳ４１）。次いで、各Ｉ／Ｆ設定スイッチ３０２〜３０６のうち、「ＯＮ」が設定されているＩ／Ｆ設定スイッチを選定する。さらに、選定されたＩ／Ｆ設定スイッチの各々について、当該Ｉ／Ｆ設定スイッチに対応する無線通信規格を用いたセッションが確立しているか否かを判定する（ステップＳ４２）。ここでのセッションが確立している場合とは、無線Ｉ／Ｆ２０７がタグを読み書きしている状態が該当し、無線Ｉ／Ｆ２０８とＢＴ機器やＢＬＥ機器とのペアリングが完了している状態が該当する。また、無線Ｉ／Ｆ２０９がＡＰとして機能するＷｉ−Ｆｉ機器と接続している状態が該当し、無線Ｉ／Ｆ２１０がモバイル通信基地局１０１と接続している状態が該当する。
【００２１】
さらに、ステップＳ４２の判定の結果に基づいて、セッションが確立している無線通信規格を表示対象Ｉ／Ｆとして選択する（ステップＳ４３）（選択工程）。すなわち、現時点において対応するＩ／Ｆ設定スイッチにて「ＯＮ」が設定され、且つ現時点においてセッションが確立している無線通信規格が表示対象Ｉ／Ｆとして選択される。本実施の形態では、図３に示すように、無線設定画面３００において、Ｉ／Ｆ設定スイッチ３０２〜３０４、３０６において「ＯＮ」が設定され、Ｉ／Ｆ設定スイッチ３０５において「ＯＦＦ」が設定される。したがって、以下、Ｗｉ−Ｆｉ、ＢＴ、ＢＬＥ及びモバイルが表示対象Ｉ／Ｆとして選択される場合について説明する。その後、表示対象Ｉ／Ｆとして選択された複数の無線通信規格を機内モード設定画面５００に表示する際の並び順を決定する（ステップＳ４４）。本実施の形態では、各無線通信規格で発信される電波の強度に応じて並び順が決定される。具体的には、発信される電波の強度が強い表示対象Ｉ／Ｆ（無線通信規格）から順番に並ぶように並び順が決定される。各無線通信規格で発信される電波の強度は、例えば、予めフラッシュメモリ２０２に格納されている。次いで、機内モード設定画面５００をディスプレイ２１２の表示面に表示する（ステップＳ４５）（表示工程）。このとき、機内モード設定画面５００では、各表示対象Ｉ／Ｆが決定された並び順に従って並べられて表示される。
【００２２】
図５は、本実施の形態における機内モード設定画面を示す図である。機内モード設定画面５００は、ノブ（抓み）５０１（境目）がスライドして自在に移動するスライドバー５０２と、該スライドバー５０２に沿って表示される、各表示対象Ｉ／Ｆとしての無線通信規格の並び５０３と、戻りボタン５０９とを有する。並び５０３では、両端に「機内モードＯＦＦ」及び「Ａｌｌ ＯＦＦ」が表示され、ステップＳ４４で決定された並び順に従い、各表示対象Ｉ／Ｆとしての無線通信規格が表示される。具体的には、「機内モードＯＦＦ」側から「ＡｌｌＯＦＦ」側に向けて、発信される電波の強度が強い無線通信規格から順番に並ぶように各無線通信規格が表示される。また、スライドバー５０２はノブ５０１が停留する位置である複数の設定ノッチ５０４〜５０８を有する。各設定ノッチ５０４〜５０８はそれぞれ、「機内モードＯＦＦ」に対応する位置、各無線通信規格の間、並びに「Ａｌｌ ＯＦＦ」に対応する位置に設けられる。具体的には、「機内モードＯＦＦ」に対応する位置に設定ノッチ５０４が設けられ、「Ａｌｌ ＯＦＦ」に対応する位置に設定ノッチ５０８が設けられる。また、「モバイル」及び「Ｗｉ−Ｆｉ」の間には設定ノッチ５０５が設けられ、「Ｗｉ−Ｆｉ」及び「Ｂｌｕｅｔｏｏｔｈ」の間には設定ノッチ５０６が設けられる。さらに、「Ｂｌｕｅｔｏｏｔｈ」及び「Ｂｌｕｅｔｏｏｔｈ  ＬＥ」の間には設定ノッチ５０７が設けられる。ユーザがスライドバー５０２においてフリック操作により、ノブ５０１を移動させる際、ノブ５０１は各設定ノッチ５０４〜５０８において一旦停止する。
【００２３】
本実施の形態では、並び５０３における、スライドバー５０２のノブ５０１の「Ａｌｌ ＯＦＦ」側（一方側、スライドバー５０２の白色部分）に存在する無線通信規格に対応するＩ／Ｆ設定スイッチにおいて「ＯＮ」が設定される。また、並び５０３における、スライドバー５０２のノブ５０１の「機内モードＯＦＦ」側（他方側、スライドバー５０２の灰色部分）に存在する無線通信規格に対応するＩ／Ｆ設定スイッチにおいて「ＯＦＦ」が設定される。具体的には、ノブ５０１が設定ノッチ５０５に停留する場合、「モバイル」に対応するＩ／Ｆ設定スイッチ３０６において「ＯＦＦ」が設定される。一方、「Ｗｉ−Ｆｉ」に対応するＩ／Ｆ設定スイッチ３０２、「Ｂｌｕｅｔｏｏｔｈ」に対応するＩ／Ｆ設定スイッチ３０３及び「Ｂｌｕｅｔｏｏｔｈ  ＬＥ」に対応するＩ／Ｆ設定スイッチ３０４において「ＯＮ」が設定される。ノブ５０１が設定ノッチ５０６に停留する場合、「モバイル」に対応するＩ／Ｆ設定スイッチ３０６、並びに「Ｗｉ−Ｆｉ」に対応するＩ／Ｆ設定スイッチ３０２において「ＯＦＦ」が設定される。一方、「Ｂｌｕｅｔｏｏｔｈ」に対応するＩ／Ｆ設定スイッチ３０３及び「Ｂｌｕｅｔｏｏｔｈ  ＬＥ」に対応するＩ／Ｆ設定スイッチ３０４において「ＯＮ」が設定される。ノブ５０１が設定ノッチ５０７に停留する場合、「モバイル」に対応するＩ／Ｆ設定スイッチ３０６、「Ｗｉ−Ｆｉ」に対応するＩ／Ｆ設定スイッチ３０２及び「Ｂｌｕｅｔｏｏｔｈ」に対応するＩ／Ｆ設定スイッチ３０３において「ＯＦＦ」が設定される。一方、「Ｂｌｕｅｔｏｏｔｈ  ＬＥ」に対応するＩ／Ｆ設定スイッチ３０４において「ＯＮ」が設定される。また、ノブ５０１が「機内モードＯＦＦ」に対応する設定ノッチ５０４に停留する場合、機内モード設定画面５００が表示される直前に表示されていた無線設定画面３００における各Ｉ／Ｆ設定スイッチ３０２〜３０６の設定状態を回復する。さらに、ノブ５０１が「Ａｌｌ ＯＦＦ」に対応する設定ノッチ５０８に停留する場合、並び５０３に含まれる全ての無線通信規格に対応するＩ／Ｆ設定スイッチにおいて「ＯＦＦ」が設定される。戻りボタン５０９が操作（押下）されると、後述する図６の処理が終了し、ディスプレイ２１２は機内モード設定画面５００を表示する直前に表示していた無線設定画面３００を再び表示する。なお、図５の機内モード設定画面５００の表示内容は一例であり、並び５０３に表示される各無線通信規格や各設定ノッチの数や位置は、図４の処理において選別された各表示対象Ｉ／Ｆや決定された並び順に応じて変更される。
【００２４】
図６は、本実施の形態に係る無線通信機器の制御方法としての機内モード設定処理を示すフローチャートである。本処理は、ディスプレイ２１２の表示面に機内モード設定画面５００が表示された際に、ＣＰＵ２０１がフラッシュメモリ２０２に格納された所定のプログラムに従って実行する。
【００２５】
まず、入力部２０５のタッチパネルにおいてユーザの操作が検出されたか否かを判別し（ステップＳ５１）、ユーザの操作が検出されない場合、ステップＳ５１に戻る。ユーザの操作が検出される場合、ユーザの操作が戻りボタン５０９の操作か否かを判別し（ステップＳ５２）、戻りボタン５０９の操作である場合、本処理を終了し、ディスプレイ２１２は無線設定画面３００を再び表示する。戻りボタン５０９の操作でない場合、ユーザの操作がノブ５０１の移動のための操作か否かを判別し（ステップＳ５３）、ノブ５０１の移動のための操作でない場合、ステップＳ５１に戻る。ノブ５０１の移動のための操作である場合、ノブ５０１が設定ノッチ５０４に停留するか否かを判別し（ステップＳ５４）、設定ノッチ５０４に停留する場合、ステップＳ５８に進む。ノブ５０１が設定ノッチ５０４に停留しない場合、検出されたユーザのノブ５０１の移動のための操作が、機内モード設定画面５００の表示後における初めての操作か否かを判別する（ステップＳ５５）。検出されたユーザのノブ５０１の移動のための操作が初めての操作の場合、ステップＳ５６に進み、検出されたユーザのノブ５０１の移動のための操作が初めての操作でない場合、ステップＳ５６をスキップしてステップＳ５７に進む。
【００２６】
ステップＳ５６では、機内モード設定画面５００が表示される直前に表示されていた無線設定画面３００における各Ｉ／Ｆ設定スイッチ３０２〜３０６の使用可否の設定状態を設定状態データとしてフラッシュメモリ２０２に保存する。次いで、ステップＳ５７では、スライドバー５０２におけるノブ５０１の位置に応じて並び５０３の各無線通信規格に対応するＩ／Ｆ設定スイッチの設定変更を行う。このとき、並び５０３における、スライドバー５０２のノブ５０１の「Ａｌｌ ＯＦＦ」側に存在する無線通信規格に対応するＩ／Ｆ設定スイッチにおいて「ＯＮ」が設定される。また、並び５０３における、スライドバー５０２のノブ５０１の「機内モードＯＦＦ」側に存在する無線通信規格に対応するＩ／Ｆ設定スイッチにおいて「ＯＦＦ」が設定される。各Ｉ／Ｆ設定スイッチにおいて「ＯＮ」が設定されると、対応する無線通信規格を用いたセッションが実行可能となる。また、各Ｉ／Ｆ設定スイッチにおいて「ＯＦＦ」が設定されると、対応する無線通信規格を用いたセッションが実行不可能となる。
【００２７】
ステップＳ５８では、機内モード設定画面５００が表示される直前に表示されていた無線設定画面３００における各Ｉ／Ｆ設定スイッチ３０２〜３０６の設定状態を回復する。具体的には、フラッシュメモリ２０２に保存される設定状態データを参照して各Ｉ／Ｆ設定スイッチ３０２〜３０６の設定が変更される。その後、フラッシュメモリ２０２に保存される設定状態データが消去され、ステップＳ５１に戻る。
【００２８】
本実施の形態によれば、機内モード設定画面５００の並び５０３において、スライドバー５０２のノブ５０１の「Ａｌｌ ＯＦＦ」側に存在する無線通信規格に対応するＩ／Ｆ設定スイッチにおいて「ＯＮ」が設定される。また、並び５０３における、スライドバー５０２のノブ５０１の「機内モードＯＦＦ」側に存在する無線通信規格に対応するＩ／Ｆ設定スイッチにおいて「ＯＦＦ」が設定される。これにより、ノブ５０１を移動させるだけで、各Ｉ／Ｆ設定スイッチ３０２〜３０６の使用可否をまとめて設定することができるので、各Ｉ／Ｆ設定スイッチ３０２〜３０６の使用可否を個別に設定する必要を無くすことができる。その結果、各Ｉ／Ｆ設定スイッチ３０２〜３０６の使用可否を設定しようとするユーザに不便を強いるのを防止することができる。
【００２９】
また、本実施の形態では、各Ｉ／Ｆ設定スイッチ３０２〜３０６のうち、機内モード設定画面５００が表示される前に「ＯＮ」が設定されているＩ／Ｆ設定スイッチが並び５０３に含まれる。すなわち、機内モード設定画面５００が表示される前に「ＯＦＦ」が設定されているＩ／Ｆ設定スイッチは並び５０３に含まれない。機内モード設定画面５００が表示される前に使用されていない無線通信規格は、機内モードにおいて使用が許可されない可能性が高い。これにより、機内モード設定画面５００を通じて「ＯＮ」を設定したＩ／Ｆ設定スイッチに対応する無線通信規格が機内モードによって許可されていないために機内モード設定画面５００を用いた設定が無駄になるという事態が発生するのを防止することができる。
【００３０】
さらに、本実施の形態では、各Ｉ／Ｆ設定スイッチ３０２〜３０６のうち、機内モード設定画面５００が表示される前にセッションが確立している無線通信規格が並び５０３に含まれる。機内モード設定画面５００が表示される前にセッションが確立している無線通信規格は、ユーザが継続して使用を所望する無線通信規格である可能性が高い。したがって、本実施の形態によれば、ユーザが継続して使用を所望する無線通信規格に対応するＩ／Ｆ設定スイッチにおいて「ＯＮ」を設定できないというユーザにとっての不都合が生じるのを防止することができる。
【００３１】
さらに、本実施の形態では、機内モード設定画面５００の並び５０３において、「機内モードＯＦＦ」側から「Ａｌｌ ＯＦＦ」側に向けて、発信される電波の強度が強い無線通信規格から順番に並ぶように各無線通信規格が表示される。機内モードにおいて無線通信規制が緩和される場合、発信される電波の強度が弱いものから段階的に使用が許可される。したがって、本実施の形態によれば、ノブ５０１を移動させるだけで、各無線通信規格の使用可否の状態を容易に無線通信規制が緩和された機内モードに適合させることができる。
【００３２】
なお、本実施の形態では、並び５０３に含まれる各無線通信規格は、対応するＩ／Ｆ設定スイッチにおいて「ＯＮ」が設定され、且つセッションが確立しているものであった。しかしながら、セッションが確立していなくても、対応するＩ／Ｆ設定スイッチにおいて「ＯＮ」が設定されている無線通信規格を並び５０３に含めてもよい。
【００３３】
次に、本発明の第２の実施の形態について説明する。第２の実施の形態は、その構成、作用が上述した第１の実施の形態と基本的に同じであるので、重複した構成、作用については説明を省略し、以下に異なる構成、作用についての説明を行う。第２の実施の形態は、各無線通信規格を表示対象Ｉ／Ｆとして選択する際にスマートフォンの位置情報を考慮する点で、第１の実施の形態と異なる。
【００３４】
図７は、本発明の第２の実施の形態に係る無線携帯端末としてのスマートフォンの構成を概略的に示すブロック図である。図７において、スマートフォン７００は、スマートフォン１００が備える各構成要素に加え、ＧＰＳ（Global Positioning System）ユニット７０１（位置判定手段）をさらに備える。ＧＰＳユニット７０１はＧＰＳ衛星から発信される信号を受信し、受信した信号を解析してスマートフォン７００の座標（位置情報）を取得する。
【００３５】
図８は、本実施の形態における設定状態取得処理を示すフローチャートである。本処理は、スマートフォン７００が機内モードへ移行し、且つディスプレイ２１２の表示面に無線設定画面３００が表示される際に、ＣＰＵ２０１がフラッシュメモリ２０２に格納された所定のプログラムに従って実行する。
【００３６】
まず、入力部２０５のタッチパネルにおいてユーザの操作が検出されたか否かを判別し（ステップＳ８１）、ユーザの操作が検出されない場合、ステップＳ７１に戻る。ユーザの操作が検出される場合、ユーザの操作が戻りボタン３０７の操作か否かを判別し（ステップＳ８２）、戻りボタン３０７の操作である場合、無線設定画面３００の表示を終了し、さらに、本処理を終了する。戻りボタン３０７の操作でない場合、ユーザの操作が機内モード設定部３０１における「ＯＮ」の設定か否かを判別する（ステップＳ８３）。「ＯＮ」の設定である場合、機内モード設定画面５００をディスプレイ２１２の表示面に表示して本処理を終了する。「ＯＦＦ」の設定である場合、各Ｉ／Ｆ設定スイッチ３０２〜３０６の設定が変更されたか否かを判別し（ステップＳ８４）、設定が変更されていない場合、ステップＳ８１に戻る。設定が変更されている場合、各Ｉ／Ｆ設定スイッチ３０２〜３０６の設定状態に応じて対応する各無線通信規格の使用可否を変更する（ステップＳ８５）。具体的には、各Ｉ／Ｆ設定スイッチにおいて「ＯＮ」が設定されると、対応する無線通信規格を用いたセッションが実行可能となる。また、各Ｉ／Ｆ設定スイッチにおいて「ＯＦＦ」が設定されると、対応する無線通信規格を用いたセッションが実行不可能となる。次いで、ＧＰＳユニット７０１によってスマートフォン７００の位置情報を取得する（ステップＳ８６）。その後、各Ｉ／Ｆ設定スイッチ３０２〜３０６の使用可否の設定状態と、取得された位置情報とを、例えば、テーブル形式のデータ構造を有する設定状態データ９００（図９）としてフラッシュメモリ２０２に保存する。
【００３７】
次に、本実施の形態に係る無線通信機器の制御方法としての機内モード設定画面表示処理について説明する。図１０は、本実施の形態における機内モード設定画面表示処理を示すフローチャートである。本処理は、図８の処理を少なくとも１回実行した後であって、機内モード設定部３０１において「ＯＮ」が設定された際に、ＣＰＵ２０１がフラッシュメモリ２０２に格納された所定のプログラムに従って実行する。なお、図１０の処理において、図４の処理における各ステップと同様の処理を実行するステップには同じ符号を付し、それらの説明を省略する。
【００３８】
まず、ステップＳ４１及びステップＳ４２を実行した後、ＧＰＳユニット７０１によってスマートフォン７００の位置情報を取得する（ステップＳ１０１）。次いで、フラッシュメモリ２０２に保存されている各設定状態データ９００を検索し、取得された位置情報から所定の範囲内の位置情報を含む設定状態データ９００を取得する（ステップＳ１０２）。その後、ステップＳ４２においてセッションが確立していると判定された無線通信規格に対応する各Ｉ／Ｆ設定スイッチについて、設定状態データ９００において「ＯＮ」が設定されているか否かを判定する。さらに、設定状態データ９００において「ＯＮ」が設定されているＩ／Ｆ設定スイッチに対応する無線通信規格を表示対象Ｉ／Ｆとして選択する（ステップＳ１０３）。すなわち、現時点においてセッションが確立し、且つ以前においてスマートフォン７００が機内モードに移行した際にセッションが確立していた無線通信規格が表示対象Ｉ／Ｆとして選択される。次いで、ステップＳ４４及びステップＳ４５を実行して機内モード設定画面５００をディスプレイ２１２の表示面に表示した後、本処理を終了する。このとき、機内モード設定画面５００の並び５０３には、現時点においてセッションが確立し、且つ以前においてスマートフォン７００が機内モードに移行した際にセッションが確立していた無線通信規格が列挙される。以下、このような無線通信規格を「履歴有り規格」と称する。なお、本実施の形態では、図１０の処理後、図６の処理が実行される。
【００３９】
本実施の形態によれば、取得された位置情報から所定の範囲内の位置情報を含む設定状態データ９００に基づいて履歴有り規格が選択される。履歴有り規格は、現時点でスマートフォン７００が存在する場所の近隣において、以前、スマートフォン７００が機内モードに移行された際にセッションが確立された無線通信規格に該当する。近接する場所では、同じ機内モードが適用される可能性が非常に高いため、同じ無線通信規格が再び使用を許可される可能性は非常に高い。したがって、本実施の形態によれば、使用を許可される可能性が非常に高い無線通信規格を機内モード設定画面５００に表示することができる。その結果、機内モード設定画面５００を用いたＩ／Ｆ設定スイッチの設定の効率を向上することができる。
【００４０】
なお、本実施の形態では、スマートフォン７００の位置情報を各Ｉ／Ｆ設定スイッチ３０２〜３０６の使用可否の設定状態とともに設定状態データ９００に含めた。しかしながら、スマートフォン７００の位置情報の代わりに、スマートフォン７００の使用時刻を各Ｉ／Ｆ設定スイッチ３０２〜３０６の使用可否の設定状態とともに設定状態データに含めてもよい。この場合、機内モード設定画面５００を表示する際に、現時刻から所定の時間内の使用時刻を含む設定状態データを参照することにより、最近においてセッションが確立していた無線通信規格を表示対象Ｉ／Ｆとして選択することができる。時刻が近いと、同じ機内モードが適用される可能性が非常に高いため、同じ無線通信規格が再び使用を許可される可能性は非常に高い。したがって、この場合も、機内モード設定画面５００を用いたＩ／Ｆ設定スイッチの設定の効率を向上することができる。
【００４１】
次に、本発明の第３の実施の形態について説明する。第３の実施の形態も、その構成、作用が上述した第１の実施の形態と基本的に同じであるので、重複した構成、作用については説明を省略し、以下に異なる構成、作用についての説明を行う。第３の実施の形態は、機内モード設定画面の並びに各表示対象Ｉ／Ｆとしての無線通信規格を列挙する際、グルーピングを行う点で、第１の実施の形態と異なる。
【００４２】
図１１は、本発明の第３の実施の形態に係る無線携帯端末としてのスマートフォンが適用される無線通信環境を説明するための図である。図１１において、スマートフォン７００はモバイル通信基地局１０１及びインターネット１０２を介して無線通信規格情報サーバ１０３に接続される。スマートフォン７００及びモバイル通信基地局１０１の間にはセッションが確立する。無線通信規格情報サーバ１０３は、航空会社によって設けられた各国の法律で定められた航空機内における無線通信規格の規制情報を格納するサーバである。スマートフォン７００は無線通信規格情報サーバ１０３にアクセスすることにより、航空機内における無線通信規格の規制情報を取得する。航空機内における無線通信規格の規制情報（以下、単に「規制情報」と称する。）は、セッションが禁止される無線通信規格を定義し、複数の無線通信規格の規格名で構成される。例えば、規制情報によってＷｉ−Ｆｉを用いたセッション及びモバイルを用いたセッションが禁止される場合、規制情報は規格名である「ＩＥＥＥ８０２．１１．ｘ」及び「ＬｏｎｇＴｅｒｍＥｖｏｌｕｔｉｏｎ」を含む。
【００４３】
図１２は、本実施の形態における無線設定画面の各無線Ｉ／Ｆの使用可否の設定状態を示す図である。図１２に示すように、本実施の形態では、Ｉ／Ｆ設定スイッチ３０２〜３０６の全てにおいて「ＯＮ」が設定される。したがって、以下、Ｗｉ−Ｆｉ、ＢＴ、ＢＬＥ、ＮＦＣ及びモバイルが表示対象Ｉ／Ｆとして選択される場合について説明する。
【００４４】
図１３は、本実施の形態における機内モード設定画面表示処理を示すフローチャートである。本処理は、例えば、ユーザが飛行機に搭乗するために空港へ出向き、搭乗直前に機内モード設定部３０１において「ＯＮ」を設定した際に、ＣＰＵ２０１がフラッシュメモリ２０２に格納された所定のプログラムに従って実行する。なお、図１３の処理において、図４の処理及び図１０の処理における各ステップと同様の処理を実行するステップには同じ符号を付してそれらの説明を省略する。
【００４５】
まず、ステップＳ４１〜ステップＳ４３を実行し、「ＯＮ」が設定されているＩ／Ｆ設定スイッチに対応し、且つセッションが確立している無線通信規格を表示対象Ｉ／Ｆとして選択する。ここでは、上述したように、Ｉ／Ｆ設定スイッチ３０２〜３０６の全てにおいて「ＯＮ」が設定されるため、Ｗｉ−Ｆｉ、ＢＴ、ＢＬＥ、ＮＦＣ及びモバイルが表示対象Ｉ／Ｆとして選択される。その後、無線通信規格情報サーバ１０３にアクセスして規制情報を取得する（ステップＳ１３１）。次いで、各表示対象Ｉ／Ｆのうち、取得した規制情報に含まれる規格名に対応する複数の無線通信規格をグループ化する（ステップＳ１３２）。本実施の形態では、規制情報が「ＩＥＥＥ８０２．１１．ｘ」及び「ＬｏｎｇＴｅｒｍＥｖｏｌｕｔｉｏｎ」を含むため、Ｗｉ−Ｆ及びモバイルがグループ化される。以下、ステップＳ１３２でグループ化された各無線通信規格からなるグループを「禁止規格グループ」と称する。
【００４６】
次いで、ステップＳ１０１及びステップＳ１０２を実行し、スマートフォン７００のユーザの居場所から所定の範囲内の位置情報を含む設定状態データ９００を取得する。このとき、ユーザは空港へ出向いているため、取得された設定状態データ９００は、以前、ユーザが飛行機に搭乗した際にスマートフォン７００を機内モードに移行したときの各Ｉ／Ｆ設定スイッチ３０２〜３０６の使用可否の設定状態を保持するものとなる。なお、本実施の形態では、取得された設定状態データ９００において、Ｉ／Ｆ設定スイッチ３０３及びＩ／Ｆ設定スイッチ３０４のみが「ＯＮ」に設定されている場合について説明する。その後、各表示対象Ｉ／Ｆから禁止規格グループに含まれる無線通信規格を除く。さらに、残りの表示対象Ｉ／Ｆのうち、取得された設定状態データ９００において「ＯＮ」が設定されているＩ／Ｆ設定スイッチに対応する無線通信規格をグループ化する（ステップＳ１３３）。このとき、本実施の形態では、取得された設定状態データ９００において、Ｉ／Ｆ設定スイッチ３０３及びＩ／Ｆ設定スイッチ３０４のみが「ＯＮ」に設定されているため、ＢＴ及びＢＬＥがグループ化される。以下、ステップＳ１３３でグループ化された各無線通信規格からなるグループを「履歴有り規格グループ」と称する。換言すれば、履歴有り規格グループに含まれる各無線通信規格は、以前ユーザが飛行機に搭乗した際にセッションが確立された無線通信規格である。
【００４７】
その後、禁止規格グループ、履歴有り規格グループと残りの各表示対象Ｉ／Ｆを後述する機内モード設定画面１４００に表示する際の並び順を決定する（ステップＳ１３４）。本実施の形態でも、第１の実施の形態と同様に、各無線通信規格で発信される電波の強度に応じて並び順が決定される。具体的には、発信される電波の強度が強い無線通信規格から順番に並ぶように並び順が決定される。このとき、禁止規格グループ及び履歴有り規格グループはそれぞれ表示対象Ｉ／Ｆの１つとして扱われるが、禁止規格グループで発信される電波の強度は、履歴有り規格グループ及び残りの各無線通信規格で発信される電波の強度よりも大きいとみなされる。また、履歴有り規格グループで発信される電波の強度は、禁止規格グループ及び残りの各無線通信規格で発信される電波の強度よりも小さいとみなされる。次いで、機内モード設定画面１４００をディスプレイ２１２の表示面に表示する（ステップＳ４５）。ステップＳ４５では、機内モード設定画面１４００では、各表示対象Ｉ／Ｆとしての無線通信規格が、決定された並び順に従って並べられて表示される。このとき、禁止規格グループについては、当該禁止規格グループが含む各無線通信規格がまとめて表示される。また、履歴有り規格グループについては、当該履歴有り規格グループが含む各無線通信規格がまとめて表示される。その後、本処理を終了する。
【００４８】
図１４は、本実施の形態における機内モード設定画面を示す図である。機内モード設定画面１４００は、基本的に機内モード設定画面５００と同様の構成を有するため、同じ構成要素には同一の符号を付し、それらの説明を省略する。機内モード設定画面１４００は、スライドバー５０２に沿って表示される、禁止規格グループ、履歴有り規格グループ及び各表示対象Ｉ／Ｆとしての無線通信規格からなる並び１４０１を有する。並び１４０１でも、両端に「機内モードＯＦＦ」及び「Ａｌｌ ＯＦＦ」が表示され、ステップＳ１３３で決定された並び順に従い、禁止規格グループ、履歴有り規格グループ及び各表示対象Ｉ／Ｆとしての無線通信規格が表示される。具体的には、「機内モードＯＦＦ」側から「ＡｌｌＯＦＦ」側に向けて、発信される電波の強度が強い無線通信規格から順番に並ぶように各無線通信規格が表示される。このとき、禁止規格グループが含む「Ｗｉ−Ｆｉ」及び「モバイル」がグループ化されて表示される。また、履歴有り規格グループが含む「Ｂｌｕｅｔｏｏｔｈ」及び「Ｂｌｕｅｔｏｏｔｈ  ＬＥ」がグループ化されて表示される。
【００４９】
機内モード設定画面１４００では、禁止規格グループと「ＮＦＣ」の間に設定ノッチ１４０２が設けられ、ＮＦＣと履歴有り規格グループの間に設定ノッチ１４０３が設けられる。本実施の形態でも、並び１４０１における、スライドバー５０２のノブ５０１の「Ａｌｌ ＯＦＦ」側（一方側、スライドバー５０２の白色部分）に存在する無線通信規格に対応するＩ／Ｆ設定スイッチにおいて「ＯＮ」が設定される。また、並び１４０１における、スライドバー５０２のノブ５０１の「機内モードＯＦＦ」側（他方側、スライドバー５０２の灰色部分）に存在する無線通信規格に対応するＩ／Ｆ設定スイッチにおいて「ＯＦＦ」が設定される。
【００５０】
なお、機内モード設定画面１４００では、「モバイル」及び「Ｗｉ−Ｆｉ」がグループ化されて表示されるため、「モバイル」及び「Ｗｉ−Ｆｉ」の間に設定ノッチが設けられることがない。これにより、例えば、「モバイル」に対応するＩ／Ｆ設定スイッチ３０６において「ＯＦＦ」が設定され、「Ｗｉ−Ｆｉ」に対応するＩ／Ｆ設定スイッチ３０２において「ＯＮ」が設定されることはない。すなわち、禁止規格グループに含まれる各無線通信規格に対応するＩ／Ｆ設定スイッチの設定は必ず同じになる。また、機内モード設定画面１４００では、「Ｂｌｕｅｔｏｏｔｈ」及び「Ｂｌｕｅｔｏｏｔｈ  ＬＥ」がグループ化されて表示されるため、「Ｂｌｕｅｔｏｏｔｈ」及び「Ｂｌｕｅｔｏｏｔｈ  ＬＥ」の間に設定ノッチが設けられることがない。これにより、例えば、「Ｂｌｕｅｔｏｏｔｈ」に対応するＩ／Ｆ設定スイッチ３０３において「ＯＦＦ」が設定され、「Ｂｌｕｅｔｏｏｔｈ  ＬＥ」に対応するＩ／Ｆ設定スイッチ３０４において「ＯＮ」が設定されることはない。すなわち、履歴有り規格グループに含まれる各無線通信規格に対応するＩ／Ｆ設定スイッチの設定も必ず同じになる。なお、戻りボタン５０９が操作（押下）されると、前述した図６の処理が終了し、ディスプレイ２１２は機内モード設定画面１４００を表示する直前に表示していた無線設定画面３００を再び表示する。
【００５１】
本実施の形態によれば、機内モード設定画面１４００の並び１４０１において、規制情報において定義された、セッションが禁止される各無線通信規格が禁止規格グループとして表示され、これらの無線通信規格の間に設定ノッチが設けられることがない。これにより、セッションが禁止される各無線通信規格に対応するＩ／Ｆ設定スイッチにおいて設定を統一することができる。その結果、セッションが禁止される各無線通信規格において、一の無線通信規格は使用が許可される一方、他の無線通信規格は使用が許可されないと言う矛盾が生じるのを避けることができる。
【００５２】
また、本実施の形態では、禁止規格グループで発信される電波の強度は、履歴有り規格グループや残りの各無線通信規格で発信される電波の強度よりも大きいとみなされる。これにより、機内モード設定画面１４００では、禁止規格グループが並び１４０１において最も「機内モードＯＦＦ」寄りに配置される。その結果、機内モードにおいて、セッションが禁止される各無線通信規格に対応するＩ／Ｆ設定スイッチにおいて「ＯＮ」が設定されにくくなり、もって、セッションが禁止される無線通信規格の使用が許可されるという事態の発生を抑制することができる。
【００５３】
また、本実施の形態では、履歴有り規格グループで発信される電波の強度は、禁止規格グループや残りの各無線通信規格で発信される電波の強度よりも小さいとみなされる。これにより、機内モード設定画面１４００では、履歴有り規格グループが並び１４０１において最も「Ａｌｌ ＯＦＦ」寄りに配置される。すなわち、発信される電波の強度が最小の「ＮＦＣ」が最も「Ａｌｌ ＯＦＦ」寄りに配置されることがない。したがって、履歴有り規格グループが含む各無線通信規格に対応するＩ／Ｆ設定スイッチが「ＯＮ」に設定されると、「ＮＦＣ」に対応するＩ／Ｆ設定スイッチも自動的に「ＯＮ」に設定されるという事態が生じるのを抑制することができる。その結果、以前ユーザが飛行機に搭乗した際にセッションが確立された無線通信規格に対応するＩ／Ｆ設定スイッチのみを確実に「ＯＮ」に設定することができる。すなわち、以前ユーザが飛行機に搭乗した際の各Ｉ／Ｆ設定スイッチ３０２〜３０６の使用可否の設定状態を簡便に再現することができる。
【００５４】
なお、本実施の形態では、規制情報が航空会社によって設けられた無線通信規格情報サーバ１０３から取得されたが、国が設けたサーバやユーザが搭乗する飛行機に設けられたサーバから規制情報を取得してもよい。また、規制情報の取得先としてのサーバが複数する場合、ＧＰＳユニット７０１によって取得されるスマートフォン７００の位置情報に基づいてスマートフォン７００の最も近くに存在するサーバから規制情報を入手してもよい。
【００５５】
以上、本発明の好ましい各実施の形態について説明したが、本発明は上述した各実施の形態に限定されず、その要旨の範囲内で種々の変形及び変更が可能である。また、本発明は無線携帯端末としてのスマートフォンに適用されたが、本発明の適用先はこれに限られず、無線通信を利用する無線通信機器なら本発明を適用可能である。例えば、カメラ、タブレット、ポータブルナビ、（ノート）パソコン、ウェアブルデバイス又は携帯ゲーム機に本発明を適用することができる。
【００５６】
さらに、本発明は、各実施の形態の１以上の機能を実現するプログラムを、ネットワークや記憶媒体を介してシステムや装置に供給し、そのシステム又は装置のコンピュータの１つ以上のプロセッサーがプログラムを読み出して実行する処理でも実現可能である。また、本発明は、１以上の機能を実現する回路（例えば、ＡＳＩＣ）によっても実現可能である。
【符号の説明】
【００５７】
１００，７００  スマートフォン
２０１  ＣＰＵ
２０７〜２１０  無線Ｉ／Ｆ
３００  無線設定画面
３０２〜３０６  Ｉ／Ｆ設定スイッチ
５００，１４００  機内モード設定画面
５０１  ノブ
５０３，１４０１  並び
７０１  ＧＰＳユニット
【図１】
2019012891.tif 000003
【図２】
2019012891.tif 000004
【図３】
2019012891.tif 000005
【図４】
2019012891.tif 000006
【図５】
2019012891.tif 000007
【図６】
2019012891.tif 000008
【図７】
2019012891.tif 000009
【図８】
2019012891.tif 000010
【図９】
2019012891.tif 000011
【図１０】
2019012891.tif 000012
【図１１】
2019012891.tif 000013
【図１２】
2019012891.tif 000014
【図１３】
2019012891.tif 000015
【図１４】
2019012891.tif 000016